(57)【要約】【課題】窒素により薬剤抽出を補助する抽出システムを提供する。【解決手段】窒素により抽出を補助する抽出システムは窒素供給ユニット７を通して窒素をコンテイナー１内に注入することで、コンテイナー１内の原料、水に対して加熱方式により抽出を行う時、原料から抽出された抽出成分はコンテイナー１内の気体（酸素）と酸化反応を生じにくくなり、抽出成分が水蒸気の状態で気液分離ユニット６を通ると、液体の状態で分離されキャビティ６１内に集められ、純度及び濃度が高い薬剤抽出成分を抽出できる。【選択図】図１
0003234166.tif 000002
【実用新案登録請求の範囲】
【請求項１】
窒素により抽出を補助する薬剤抽出システムは、コンテイナー、加熱ユニット、気液分離ユニット、窒素供給ユニットを備え、
該コンテイナーは、抽出物及び水を貯留し、
該加熱ユニットは、該コンテイナーに連接し、該コンテイナーを加熱し、
該気液分離ユニットは、キャビティ、冷却ユニットを備え、該キャビティ頂部は、管体により、該コンテイナー頂部と連通し、該冷却ユニットは、該管体の一部分に設置され、該管体に対して温度低下を行い、
該窒素供給ユニットは、該コンテイナーと連通し、該コンテイナー内に窒素を注入することを特徴とする窒素により抽出を補助する薬剤抽出システム。
【請求項２】
前記窒素により抽出を補助する薬剤抽出システムはさらに、回流ユニットを設置し、
該回流ユニットは、該コンテイナー頂部及び底部とそれぞれ連通することを特徴とする請求項１に記載の窒素により抽出を補助する薬剤抽出システム。
【請求項３】
前記冷卻ユニットは、第一冷却ユニット、第二冷却ユニットを備え、
該第一冷却ユニットと該第二冷却ユニットは間隔を開けて該管体に設置されることを特徴とする請求項２に記載の窒素により抽出を補助する薬剤抽出システム。
【請求項４】
前記コンテイナー底部には、開口を設置し、
該開口には、バルブ体ユニットを設置し、
該バルブ体ユニットにより、該開口の開閉を制御することを特徴とする請求項３に記載の窒素により抽出を補助する薬剤抽出システム。
【請求項５】
前記キャビティ底部には、回流管を設置し、
該回流管一端と該コンテイナー頂部とは連通し、該回流管の一部分には、バルブ体を設置することを特徴とする請求項４に記載の窒素により抽出を補助する薬剤抽出システム。
【請求項６】
前記加熱ユニット外側には、断熱ユニットを覆うように設置することを特徴とする請求項５に記載の窒素により抽出を補助する薬剤抽出システム。
【考案の詳細な説明】
【技術分野】
【０００１】
本考案は薬剤抽出システムに関し、特に窒素により酸化反応を防止して薬剤の抽出を補助する薬剤抽出システムに関する。
【背景技術】
【０００２】
原料中の薬剤抽出成分の取り出し方法は、原料を収容室内に入れ、続いて該収容室を加熱し、原料内の抽出成分から生じる蒸気を上方へとオーバーフローさせ、次に導管を通してこれら蒸気を気液分離装置に引き入れ、蒸気内の抽出成分を沈殿させ、該抽出成分を備えた液体を取り出すものである。
【０００３】
上述の抽出過程では、該原料中から抽出する薬剤抽出成分は、蒸気の状態で出現する。
しかし、コンテイナー内には気体（特に酸素）を含むため、該薬剤抽出成分が酸化反応を非常に生じ易く、抽出された該薬剤抽出成分の濃度及び純度に悪影響を及ぼす。
【先行技術文献】
【特許文献】
【０００４】
【特許文献１】特開２０２１−４１３２１号公報
【考案の概要】
【考案が解決しようとする課題】
【０００５】
本考案の目的は、コンテイナー内の酸素を窒素に置き換えることにより薬剤の酸化を防止して抽出成分の抽出を補助する薬剤抽出システムを提供することである。
【課題を解決するための手段】
【０００６】
窒素により抽出を補助する薬剤抽出システムは、コンテイナー、加熱ユニット、気液分離ユニット、窒素供給ユニットを備え、
該コンテイナーは、原料及び水を入れるために用い、
該加熱ユニットは、該コンテイナーに連接し、該コンテイナーを加熱し、
該気液分離ユニットは、キャビティ、冷却ユニットを備え、該キャビティ頂部は、管体により、該コンテイナー頂部と連通し、該冷却ユニットは、該管体の一部分に設置され、該管体に対して温度低下を行い、
該窒素供給ユニットと該コンテイナーとは連通し、該コンテイナー内に窒素を注入する。
【考案の効果】
【０００７】
本考案は窒素供給ユニットを通してコンテイナーに窒素を注入し、コンテイナー内の気体（特に酸素）に置き換えることで、コンテイナーで薬剤の加熱抽出を行う過程において、原料から抽出した抽出物質は酸化反応を起こしにくく、純度及び濃度が高い抽出物質を得ることができる。  
【図面の簡単な説明】
【０００８】
【図１】本考案の薬剤抽出システムの各部品の連結模式図である。
【考案を実施するための形態】
【実施例】
【０００９】
図１に示す通り、本考案による酸素から窒素に置き換えることにより抽出を補助する薬剤抽出システムは、コンテイナー１を備える。
【００１０】
該コンテイナー１は、原料及び水を入れるために用い、該コンテイナー１底部には、開口１１を設置する。
【００１１】
該開口１１には、バルブ体ユニット２を設置し、該バルブ体ユニット２の開閉を通して、該コンテイナー１内の原料及び水を排出する。
【００１２】
さらに、回流ユニット３を設置し、該回流ユニット３は、該コンテイナー１頂部及び底部とそれぞれ連通し、該回流ユニット３を通して、該コンテイナー１底部に位置する水を該コンテイナー１頂部へと回流させ、この種の方式を利用し、該コンテイナー１内の水は、対流に類似の状態を効果的に生じ、全体の温度がより均一となる。
【００１３】
さらに、加熱ユニット４を備え、該加熱ユニット４は、該コンテイナー１に連接し、該コンテイナー１を加熱する。
【００１４】
該加熱ユニット４外側には好ましくは、断熱ユニット５を覆うように設置し、これにより作業人員が該加熱ユニット４に誤って触れ、やけど等の事故が起きることを回避できる。
【００１５】
さらに、気液分離ユニット６を備え、該気液分離ユニット６は、キャビティ６１、冷却ユニット６２を備え、該キャビティ６１頂部は、管体６３により、該コンテイナー１頂部と連通し、該冷却ユニット６２は、該管体６３の一部分に設置され、該管体６３に対して温度低下を行う。
【００１６】
こうすることで、水蒸気が該管体６３を通過する時、凝結効果を生じ、該水蒸気中の、薬剤抽出成分に属する部分は分離され液体を形成し、該キャビティ６１内に集められる。
【００１７】
全体の凝結効果を高めるため、図１に示すように、該冷却ユニット６２は好ましくは、第一冷却ユニット６２１及び第二冷却ユニット６２２を備え、該第一冷却ユニット６２１と該第二冷却ユニット６２２は間隔を開けて該管体６３に設置される。
【００１８】
該キャビティ６１底部には好ましくは、回流管６４を設置し、該回流管６４の一端と該コンテイナー１頂部とは連通し、該回流管６４の一部分には、バルブ体６５を設置する。
【００１９】
こうすることで、該キャビティ６１内に集められた液体（抽出成分を含む）が予期の条件を満たさなかった場合、作業人員は該バルブ体６５を開くことで、該キャビティ６１内の液体を該コンテイナー１内に回流させ、再度の加熱を行い、集められる液体の必要条件への符合を確保する。
【００２０】
さらに、窒素供給ユニット７を備え、該窒素供給ユニット７と該コンテイナー１とは連通し、該コンテイナー１内に窒素を注入する。
【００２１】
該コンテイナー１内に酸素を含む場合、該原料の抽出過程で形成される薬剤抽出成分は、酸素と酸化反応を起こし易い。
【００２２】
該酸化反応の発生を低下させるため、本考案は特別に該窒素供給ユニット７を利用し窒素を該コンテイナー１内に注入し、該コンテイナー１内の気体（酸素）に置換することで、該抽出成分が水蒸気を形成後、酸素と酸化反応を起こしにくくなり、該気液分離ユニット６に送り込まれ分離され、最後に該抽出成分を含む液体を得ることができる。
【産業上の利用可能性】
【００２３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２４】
１  コンテイナー
１１  開口
２  バルブ体ユニット
３  回流ユニット
４  加熱ユニット
５  断熱ユニット
６  気液分離ユニット
６１  キャビティ
６２  冷却ユニット
６２１  第一冷却ユニット
６２２  第二冷却ユニット
６３  管体
６４  回流管
６５  バルブ体
７  窒素供給ユニット
【図１】
0003234166.tif 000003